【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
燃料タンク内の調圧を行なう圧力調整弁を備えた閉止体において、
上記圧力調整弁の開弁による気流で作動することにより上記圧力調整弁（５０）が作動したことを報知する報知機構を備え、
上記圧力調整弁（５０）は、タンク内圧が外気より所定以上の負圧のときに開弁する負圧弁（７０）およびタンク内圧が外気より所定以上の正圧のときに開弁する正圧弁（６０）のいずれか一方を備え、
上記報知機構は、外気を上記圧力調整弁へ導く流路形成部材と、この流路形成部材内に配置され待機位置から報知位置へ移動可能である移動体とを備え、上記移動体は、上記圧力調整弁の開弁時における上記流路形成部材を流れる気流により上記待機位置から上記報知位置に移動するとともに、上記報知位置に移動したことを外部から視認できるように構成したこと、
を特徴とする閉止体。
【請求項２】
請求項１に記載の閉止体において、
上記報知機構（１２０）は、上記移動体（１２５）が上記報知位置にあることを識別可能である表示窓（１２９）を形成した閉止体。
【請求項３】
請求項２に記載の閉止体において、
上記報知機構（１３０）は、上記移動体（１３５）が上記報知位置に移動したときに該報知位置で位置決めする位置決め手段を備えた閉止体。
【請求項４】
請求項２に記載の閉止体において、
上記報知機構（１４０）は、上記移動体（１４５）を待機位置に向けて付勢するスプリング（１４６）と、上記移動体（１４５）が上記報知位置に移動したときに該報知位置で位置決めする位置決め手段を備えた閉止体。
【請求項５】
請求項２に記載の閉止体において、
上記報知機構（１５０）は、表示用流体（１５４）を充填した充填室（１５３）を有し、上記移動体（１５５）は、上記待機位置から上記報知位置に移動したときに上記表示用流体（１５４）を上記充填室（１５３）から流出させる弁部を備えている閉止体。
【請求項６】
請求項２に記載の閉止体において、
上記報知機構（１６０）は、表示用流体（１６４）を充填した充填室（１６３）を有し、上記移動体（１６５）は、上記待機位置から上記報知位置に移動したときに上記表示用流体（１５４）を上記充填室（１５３）から流出させる弁部（１６５ａ）と、該弁部（１６５ａ）と一体に移動し上記圧力調整弁の開弁による気流で差圧を受ける受圧部（１６５ｂ）とを備えている閉止体。
【請求項７】
請求項２に記載の閉止体において、
上記報知機構（１７０）は、上記負圧弁の開弁による気流または正圧弁の開弁による気流で異なった方向へ移動する移動体（１７５）と、該移動体が移動していないことを表示する第１報知面（１７６ａ）と、該移動体の移動により負圧状態であることを表示する第２報知面（１７６ｂ）と、正圧状態であることを表示する第３報知面（１７６ｃ）とを備えた閉止体。
【請求項８】
請求項７に記載の閉止体において、
上記移動体（１７５）は、第１報知面（１７６ａ）から、第２報知面（１７６ｂ）または第３報知面（１７６ｃ）のいずれか一つを上記表示窓（１７９）に対向するように移動させる閉止体。
【請求項９】
請求項２に記載の閉止体において、
上記報知機構（１８０）は、圧力調整弁の気流により移動する移動体（１８５）と、該移動体（１８５）の移動によりオンオフするスイッチ（１８３）と、該スイッチ（１８３）のオンにより点灯する発光灯（１８８）とを備えている閉止体。
【請求項１０】
燃料タンクに燃料を供給する燃料通路を有するインレットパイプ（２１０）と、該インレットパイプ（２１０）に設けられ燃料タンクの調圧を行う圧力調整弁（２７０）とを備えた燃料タンクの給油装置において、
上記圧力調整弁（２７０）の開弁による気流で作動することにより上記圧力調整弁（２７０）が作動したことを報知する報知機構（２８０）を備え、
上記圧力調整弁（２７０）は、タンク内圧が外気より所定以上の負圧のときに開弁する負圧弁およびタンク内圧が外気より所定以上の正圧のときに開弁する正圧弁のいずれか一方を備え、
上記報知機構（２８０）は、外気を上記圧力調整弁（２７０）へ導く流路形成部材（２８１）と、この流路形成部材（２８１）内に配置され待機位置から報知位置へ移動可能である移動体（２８５）とを備え、上記移動体（２８５）は、上記圧力調整弁（２７０）の開弁時における上記流路形成部材（２８１）を流れる気流により上記待機位置から上記報知位置に移動するとともに、上記報知位置に移動したことを外部から視認できるように構成したこと、
を特徴とする燃料タンクの給油装置。
【請求項１１】
請求項１０に記載の燃料タンクの燃料供給装置において、
上記インレットパイプ（２１０）の開口端に設けられ、上記燃料通路を開閉する閉止機構を備え、
上記圧力調整弁（２７０）は、上記閉止機構で密閉された燃料タンク側の燃料通路の圧力を調節するように設けられている燃料タンクの燃料供給装置。
【手続補正２】
【補正対象書類名】明細書
【補正対象項目名】０００５
【補正方法】変更
【補正の内容】
【０００５】
上記課題を解決するためになされた本発明は、
燃料タンク内の調圧を行なう圧力調整弁を備えた閉止体において、
上記圧力調整弁の開弁による気流で作動することにより上記圧力調整弁（５０）が作動したことを報知する報知機構を備え、
上記圧力調整弁は、タンク内圧が外気より所定以上の負圧のときに開弁する負圧弁およびタンク内圧が外気より所定以上の正圧のときに開弁する正圧弁のいずれか一方を備え、
上記報知機構は、外気を上記圧力調整弁へ導く流路形成部材と、この流路形成部材内に配置され待機位置から報知位置へ移動可能である移動体とを備え、上記移動体は、上記圧力調整弁の開弁時における上記流路形成部材を流れる気流により上記待機位置から上記報知位置に移動するとともに、上記報知位置に移動したことを外部から視認できるように構成したこと、を特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１５
【補正方法】変更
【補正の内容】
【００１５】
さらに、本発明の他の好適な態様として、燃料タンクに燃料を供給する燃料通路を有するインレットパイプと、該インレットパイプに設けられ燃料タンクの調圧を行う圧力調整弁とを備えた燃料タンクの給油装置において、上記圧力調整弁の開弁による気流で作動することにより上記圧力調整弁が作動したことを報知する報知機構を備え、上記圧力調整弁は、タンク内圧が外気より所定以上の負圧のときに開弁する負圧弁およびタンク内圧が外気より所定以上の正圧のときに開弁する正圧弁のいずれか一方を備え、上記報知機構は、外気を上記圧力調整弁へ導く流路形成部材と、この流路形成部材内に配置され待機位置から報知位置へ移動可能である移動体とを備え、上記移動体は、上記圧力調整弁の開弁時における上記流路形成部材を流れる気流により上記待機位置から上記報知位置に移動するとともに、上記報知位置に移動したことを外部から視認できるように構成したこと、を特徴とする。このように報知機構は、閉止体と別体に設けた給油装置にも適用することができる。
本発明の好適な構成として、上記インレットパイプの開口端に設けられ、上記燃料通路を開閉する閉止機構を備え、上記圧力調整弁は、上記閉止機構で密閉された燃料タンク側の燃料通路の圧力を調節するように設けられている構成をとることができる。